(57)【要約】【課題】モータ制御基板57と各モータ51〜53とを接続する配線の信頼性を向上した照明装置11を提供する。【解決手段】各モータ51〜53を筐体本体31内に配設する。モータ51〜53を制御するモータ制御基板57を筐体本体31内に配設する。モータ制御基板57を各モータ51〜53に対して筐体本体31内で各線61〜66により接続する。各線61〜66が、側部結合部43および上部結合部86のそれぞれを介さないので、筐体本体31をチルト駆動させたり筐体22をパン駆動させたりした場合でも、各線61〜66に負荷が加わることがなく、断線などに対する信頼性を向上できる。【選択図】図１
2008218148.tif 000002
【特許請求の範囲】
【請求項１】
照明装置本体と；
この照明装置本体を収容した筐体本体、この筐体本体を可動的に支持する筐体支持部、および、筐体本体内に設けられた駆動手段を備えた筐体と；
この筐体を可動的に支持する台座部と；
筐体本体内に配設され、この筐体本体内で配線を介して駆動手段に接続されて、この駆動手段の動作を制御する制御手段と；
を具備していることを特徴とする照明装置。
【請求項２】
制御手段は、筐体本体内にて、照明装置本体を挟む位置のいずれか一方に配設されている
ことを特徴とする請求項１記載の照明装置。
【請求項３】
台座部は、天井板に設けられた孔部への埋め込み設置を可能とした
ことを特徴とする請求項１または２記載の照明装置。
【発明の詳細な説明】
【技術分野】
【０００１】
本発明は、筐体支持部に対して筐体本体を動作させる駆動手段を備えた照明装置に関する。
【背景技術】
【０００２】
従来、演出空間用の照明装置としてプロジェクタを用いることがある。このようなプロジェクタは、天井などに吊り下げ固定され、チルト駆動、あるいはパン駆動などをすることで、画像の照射方向および位置などを任意に制御できる（例えば、特許文献１参照。）。
【０００３】
このようなプロジェクタは、プロジェクタ本体を収容した筐体本体を、筐体支持部によってチルト駆動可能に支持した筐体を備えているとともに、この筐体をパン駆動可能に支持した台座部により天井などに吊り下げ固定されている。また、筐体本体の内部には、チルト駆動用の駆動手段であるモータが複数設けられ、台座部の内部には、パン駆動用の駆動手段であるモータが複数設けられている。さらに、台座部の内部には、チルト駆動用およびパン駆動用のモータのそれぞれを制御する制御手段が配設されている。
【特許文献１】特開平１０−３０１２０２号（第４−５頁、図１）
【発明の開示】
【発明が解決しようとする課題】
【０００４】
しかしながら、上述の照明装置では、制御手段からチルト駆動用のモータへの配線が、台座部と筐体との可動部、および、筐体支持部と筐体本体との可動部のそれぞれを通っているため、筐体本体のチルト駆動および筐体のパン駆動により、これら配線にストレスが加わって、断線などを引き起こすおそれがあるという問題点を有している。
【０００５】
特に、台座部と筐体とのパン駆動する部分が、例えば３６０°以上の範囲で回動する場合には、この部分を通過する配線が多いほど、配線の動きに制限が発生して断線などに至るおそれがある。
【０００６】
本発明は、このような点に鑑みなされたもので、制御手段と駆動手段とを接続する配線の信頼性を向上した照明装置を提供することを目的とする。
【課題を解決するための手段】
【０００７】
請求項１記載の照明装置は、照明装置本体と；この照明装置本体を収容した筐体本体、この筐体本体を可動的に支持する筐体支持部、および、筐体本体内に設けられた駆動手段を備えた筐体と；この筐体を可動的に支持する台座部と；筐体本体内に配設され、この筐体本体内で配線を介して駆動手段に接続されて、この駆動手段の動作を制御する制御手段と；を具備しているものである。
【０００８】
照明装置本体は、例えば、プロジェクタ、あるいはスポットライトなどが用いられる。
【０００９】
筐体は、例えば、照明装置本体を収容した筐体本体を回動可能に筐体支持部により軸支し、筐体本体を駆動手段により回動させるように構成されている。
【００１０】
台座部は、例えば、筐体を回動可能に軸支し、天井、あるいは、天井の内部に配設された吊りパイプなどの構造物に対して筐体を固定するように構成されている。
【００１１】
制御手段は、例えば、制御回路を備えた制御基板などが用いられ、各駆動手段に対してそれぞれ複数の配線で接続されている。
【００１２】
そして、駆動手段およびこの駆動手段を制御する制御手段をそれぞれ筐体本体内に配設し、この制御手段を駆動手段に対して筐体本体内で配線により接続することで、制御手段と駆動手段とを接続する配線が、筐体本体と筐体支持部との可動部、および、筐体と台座部との可動部のそれぞれを介さないので、断線などに対する信頼性が向上する。
【００１３】
請求項２の照明装置は、請求項１記載の照明装置において、制御手段は、筐体本体内にて、照明装置本体を挟む位置のいずれか一方に配設されているものである。
【００１４】
そして、制御手段を、筐体本体内の照明装置本体を挟む位置のいずれか一方に配設することにより、筐体本体内に例えば照明装置本体のランプ交換などの保守用の作業スペースが形成され、作業性が向上する。
【００１５】
請求項３記載の照明装置は、請求項１または２記載の照明装置において、台座部は、天井板に設けられた孔部への埋め込み設置を可能としたものである。
【００１６】
天井板は、例えば、演出空間などの天井を構成するものである。
【００１７】
孔部は、例えば、台座部の形状に対応して丸孔状などの形状で天井板に設けられるものである。
【００１８】
そして、駆動手段および制御手段を筐体本体に配設することにより小型化可能な台座部によって、照明装置全体が小型化することに加え、天井板の孔部に埋め込み設置した場合では埋込孔との間に無駄な隙間が形成されないなど、汎用性が向上する。また、メンテナンス作業の頻度が比較的多い部材は筺体本体に配設されているので、メンテナンス性が低下することがない。
【発明の効果】
【００１９】
請求項１記載の照明装置によれば、駆動手段を筐体本体内に配設し、この駆動手段を制御する制御手段を筐体本体内に配設して、この制御手段を駆動手段に対して筐体本体内で配線により接続することで、制御手段と駆動手段とを接続する配線が、筐体本体と筐体支持部との可動部、および、筐体と台座部との可動部のそれぞれを介さないので、断線などに対する信頼性を向上できる。
【００２０】
請求項２記載の照明装置によれば、請求項１記載の照明装置の効果に加えて、制御手段を、筐体本体内の照明装置本体を挟む位置のいずれか一方に配設することにより、筐体本体内に例えば照明装置本体のランプ交換などの保守用の作業スペースが形成され、作業性を向上できる。
【００２１】
請求項３記載の照明装置によれば、請求項１または２記載の照明装置の効果に加えて、駆動手段および制御手段を筐体本体に配設することにより小型化可能な台座部によって、照明装置全体が小型化することに加え、天井板の孔部に埋め込み設置した場合では埋込孔との間に無駄な隙間が形成されないなど、汎用性を向上できる。また、メンテナンス作業の頻度が比較的多い部材は筺体本体に配設されているので、メンテナンス性が低下することがない。
【発明を実施するための最良の形態】
【００２２】
以下、本発明の一実施の形態を図面を参照して説明する。
【００２３】
図１は照明装置の内部を示す正面図、図２は照明装置の構造物への吊り下げ固定状態を示す正面図、図３は照明装置の構造物への吊り下げ固定状態を示す側面図、図４は照明装置の構造物への吊り下げ固定状態を示す平面図である。
【００２４】
図２および図３において、10は演出空間用の照明システムを示し、本実施の形態において、この照明システム10は、図１ないし図４に示すように、照明装置11を、例えば天井を構成する天井板13の内部に設けられた例えば吊りパイプなどの図示しない構造物に対して埋め込んで吊り下げ固定、すなわち埋め込み設置する他に、例えば天井板13に直付けする吊り下げ設置、あるいは床面や置き台などの図示しない所定の設置面上に設置する置き設置などにも対応可能なものである。
【００２５】
照明装置11は、例えば、プロジェクタ、あるいは、ムービングライトやリモコンライトを含むスポットライトなどであり、本実施の形態では、以下、プロジェクタとして説明する。
【００２６】
そして、この照明装置11は、照明装置本体であるプロジェクタ本体21を収容する筐体22を備え、この筐体22に、円形固定台座である台座部23が設けられ、この台座部23に対して筐体22が回動可能に接続されている。
【００２７】
プロジェクタ本体21は、例えば平坦な直方体状の照明装置本体用筐体であるプロジェクタ筐体25内部に、図示しない光源であるランプ、光学系および液晶パネルなどが配設され、入力された映像信号を、前部に設けられた投射レンズ部26からスクリーンなどに光すなわち画像として照射させるためのものである。また、プロジェクタ筐体25の後部には、内部に設けられた図示しない冷却装置の駆動により外気をプロジェクタ筐体25内に吸気する図示しないプロジェクタ吸気口が設けられているとともに、プロジェクタ筐体25の前部には、この空気を排気するプロジェクタ排気口28が設けられている。
【００２８】
また、筐体22は、プロジェクタ本体21を内部に収容する略円筒状の筐体本体31を有し、この筐体本体31が、筐体支持部としての筐体軸支部32により軸支されている。
【００２９】
筐体本体31は、プロジェクタ本体21を略中央部に、この筐体本体31の軸方向に長手方向を沿わせるように収容している。したがって、筐体本体31内には、プロジェクタ本体21を挟むように、一対の空間部34，35が形成されている。また、この筐体本体31の前面側には、プロジェクタ本体21の投射レンズ部26が対向する丸孔状の開口37が軸方向の一端側寄りに形成され、プロジェクタ本体21の駆動によりこのプロジェクタ本体21のプロジェクタ排気口28から排気される排気風を筐体22の外部へと排気する図示しない排気口が開口形成され、さらに、開口37の台座部23寄りの位置に、プロジェクタ本体21からのオートフォーカス用の赤外線を照射する赤外線照射部39が形成されている。
【００３０】
さらに、筐体本体31の背面側の開口37と対向する位置には、プロジェクタ本体21などの冷却用の外気を吸い込む図示しない吸気口が形成されている。また、筐体本体31の軸方向の両端部である左右部には、筐体軸支部32内へと突出した突出部42，42が設けられ、これら突出部42，42には、筐体軸支部32により軸支される結合部としての側部結合部43，43が突設されている。また、突出部42，42間には、プロジェクタ本体21側と空間部35側とを区画する区画板44が配設されている。
【００３１】
空間部34は、水平照射状態でプロジェクタ本体21の下側すなわち台座部23と反対側に形成されている。また、この空間部34は、筐体本体31の一部をなす着脱可能なパネル46により覆われている。さらに、この空間部34内には、駆動手段としてのズーム用モータ51、駆動手段としてのシャッタ用モータ52、および、駆動手段としてのチルト用モータ53がそれぞれ配設されているとともに、これらモータ51，52，53のそれぞれの駆動用のモータドライバ54，55，56が配設され、さらに、これらモータドライバ54〜56を介して各モータ51〜53の動作を制御する制御手段としてのモータ制御基板57が配設されている。
【００３２】
ズーム用モータ51は、プロジェクタ本体21から照射される画像をズームさせるためのモータである。
【００３３】
また、シャッタ用モータ52は、図示しないシャッタを駆動させるためのモータである。
【００３４】
また、チルト用モータ53は、側部結合部43，43を中心として筐体本体31を回動すなわちチルト駆動させるためのモータであり、一方の突出部42、本実施の形態では図１中の左側へと回転軸53aが突出している。
【００３５】
また、各モータドライバ54，55，56は、それぞれモータ51，52，53に対して配線としてのモータ制御線61，62，63により電気的に接続されているとともに、モータ制御基板57に対して配線としてのモータドライバ制御線64，65，66によりそれぞれ電気的に接続されている。
【００３６】
したがって、モータ制御基板57は、各線61〜66によりモータ51〜53に電気的に接続されている。また、このモータ制御基板57は、台座部23側に配設されたＣＰＵ基板71と通信線72を介して電気的に接続されているとともに、台座部23側に配設されたパン駆動手段としてのパン用モータ73を駆動するモータドライバ74と、モータドライバ制御線75を介して電気的に接続されている。そして、このモータ制御基板57は、ＣＰＵ基板71から送信された制御データを処理して、各モータ51，52，53，73の移動量のパルスを各モータドライバ54，55，56，74などに出力するものである。
【００３７】
また、空間部35は、プロジェクタ本体21の左右幅および前後幅に対して充分大きいスペースであり、この空間部35において、プロジェクタ本体21のプロジェクタ筐体25を開けて、このプロジェクタ筐体25内に配設されたランプを交換することが可能となっている。すなわち、この空間部35は、プロジェクタ本体21の保守用の作業スペースとなっている。
【００３８】
また、一方の突出部42内には、チルト用モータ53の回転軸53aとの間に図示しないベルトなどが外周面に巻き掛けられた円筒状の回動部76が側部結合部43と同軸状に設けられている。したがって、筐体本体31は、チルト用モータ53の駆動により、回動部76を介してチルト駆動されるように構成されている。
【００３９】
また、各側部結合部43は、略円筒状に形成されている。そして、モータ制御基板57に近い側、本実施の形態では図１中右側に位置する側部結合部43には、通信線72とモータドライバ制御線75とを纏めた配線77が挿通されて筐体軸支部32を介して台座部23側へと配線されている。
【００４０】
また、筐体軸支部32は、筐体本体31の両端に位置して上下方向に沿って形成された軸支部本体81，81と、これら軸支部本体81，81の前側および後側を連結する連結部82，82とを備えている。さらに、筐体軸支部32内には、筐体本体31を回動可能に軸支する支持腕83が収容されている。そして、筐体軸支部32は、筐体本体31に対向する連結部82，82間に、図示しない連通開口が開口形成されているとともに、台座部23に対向する部分が閉塞板部84により閉塞されている。
【００４１】
支持腕83は、軸支部本体81，81に沿って上下方向に延設された腕部83a，83aと、筐体22の径方向に沿って連結部82，82内に水平状に設けられた腕連結部83b，83bとを有し、正面視で略コ字状に形成されている。
【００４２】
各腕部83aは、下端側に筐体本体31の各側部結合部43がそれぞれ挿入され、これら側部結合部43を介して筐体本体31を回動可能に軸支している。
【００４３】
また、各腕連結部83bは、各腕部83aの前後それぞれを連結するように形成されている。
【００４４】
そして、一方の腕部83a内とこの腕部83aに連続する腕連結部83b，83b間とには、配線77が挿通されて台座部23側へと連続している。
【００４５】
また、連通開口は、筐体本体31がチルト駆動した状態で、筐体本体31の吸気口と連通するように形成されている。
【００４６】
また、閉塞板部84は、台座部23の下部と対向している。さらに、この閉塞板部84には、連通開口に連通する図示しない通気開口が穿設されている。そして、この閉塞板部84の中央部には、台座部23に連結される結合部としての上部結合部86が突設されている。この上部結合部86は、略円筒状に形成され、先端側が台座部23内へと挿入されている。
【００４７】
一方、台座部23は、環状の枠体である外周部87を備え、この外周部87の筐体22と反対側の端部が、天板部88により閉塞され、平面視で円形状に形成されている。また、この台座部23の筐体22に対向する下部の中央部には、上部結合部86が挿通される筒状部89が形成されている。そして、台座部23の内部には、上記パン用モータ73、モータドライバ74およびＣＰＵ基板71が配設されているとともに、パン用モータ73の駆動により回動されるプーリ91と、電源部としての直流電源92とがそれぞれ配設されている。
【００４８】
外周部87は、前後に位置する区画部94，94と、これら区画部94，94の両側間に円弧状に位置する外郭部95，95とを有し、平面視で円形状に形成されている。
【００４９】
各区画部94は、天板部88に対して下方に凹状に窪んだ空間部97をそれぞれ区画している。また、各区画部94には、空間部97内に位置して端子部98が形成されている。そして、前側の端子部98には、プロジェクタ本体21側と外部回路とを電気的に接続するための各種端子98aが設けられ、これら端子98aがそれぞれケーブルＣとコネクタ接続される。
【００５０】
また、天板部88には、平面視で四角形状の取付板101を介して脚部102が取り付けられている。この脚部102は、取付板101の四隅近傍に設けられており、図示しない所定の設置面上などに照明装置11を置き設置する場合の脚などとなるものである。また、天板部88には、図示しない天板通気開口が設けられている。さらに、この天板部88には、取付部材である図示しない取付金具なども着脱可能となっており、この取付金具を介して、天井板13の上方の構造物、あるいは天井板13自体に照明装置11を固定可能である。
【００５１】
また、ＣＰＵ基板71は、ケーブルＣを介して入力された外部データＤを処理して、モータ制御基板57へと通信線72を介して制御データを送信するものである。
【００５２】
また、パン用モータ73は、筐体22を台座部23に対して上部結合部86を中心として回動、すなわちパン駆動させるためのモータである。
【００５３】
また、モータドライバ74は、パン用モータ73に対して配線としてのモータ制御線104により電気的に接続されているとともに、モータドライバ制御線75を介してモータ制御基板57と電気的に接続されており、このモータ制御基板57から出力された移動量のパルスによりパン用モータ73を動作させるものである。
【００５４】
また、プーリ91は、上部結合部86に接続され、パン用モータ73の回転軸73aとの間にベルト106が巻き掛けられており、このベルト106を介して、パン用モータ73により周方向に回動されるように構成されている。
【００５５】
したがって、プロジェクタ本体21は、パン用モータ73の駆動がプーリ91により上部結合部86へと伝達されることで、筐体22が上部結合部86を中心として周方向に回動すなわちパン駆動されるように構成されて、画像の照射方向および位置などを任意に制御可能となっている。
【００５６】
また、直流電源92は、各基板57，71、各モータドライバ54，55，56，74および各モータ51，52，53，73などに電力を供給するものである。
【００５７】
また、天井板13には、例えば照明装置11の台座部23側を埋め込む孔部としての丸孔状の埋込孔108が穿設されている。そして、この埋込孔108には、図２ないし図４に示すように、照明装置11の台座部23全体と筐体22の台座部23側の一部とが埋め込まれるように取り付けられている。
【００５８】
次に、上記一実施の形態の動作を説明する。
【００５９】
照明装置11を駆動させると、プロジェクタ本体21内のランプから照射された光が液晶パネルなどにより変調されて投射レンズ部26から画像として出射され、開口37を介して筐体22の外部へと画像が照射される。
【００６０】
同時に、プロジェクタ本体21内の冷却装置の駆動により、筐体本体31の吸気口から外気が筐体本体31内へと吸い込まれ、この筐体本体31内でプロジェクタ吸気口によりプロジェクタ筐体25内へと吸い込まれ、プロジェクタ本体21内を冷却した後、プロジェクタ排気口28から筐体本体31内へと排気された後、筐体本体31の排気口からこの筐体本体31の外部へと排気される。
【００６１】
このとき、筐体本体31に吸い込まれた外気は、筐体本体31内の空間部34に配設した各モータ51〜53、モータドライバ54〜56およびモータ制御基板57も冷却する。
【００６２】
そして、照明装置11から照射される画像は、例えばケーブルＣを介して外部から入力された外部データＤにより任意に制御可能となる。
【００６３】
すなわち、照明装置11は、外部データＤをＣＰＵ基板71で処理した制御データを、通信線72を介してモータ制御基板57へと出力し、このモータ制御基板57において、制御データを処理して各モータドライバ56，74へと出力することで、これらモータドライバ56，74が各モータ53，73をそれぞれ動作させ、筐体本体31を、側部結合部43，43を中心としてチルト駆動させたり、筐体22を、上部結合部86を中心としてパン駆動させたりすることで、画像の照射方向および位置が制御されるとともに、モータ制御基板57により処理した信号を各モータドライバ54，55へと出力することで、これらモータドライバ54，55がモータ51，52をそれぞれ動作させることで、画像をズームさせたり、シャッタを駆動させたりする。
【００６４】
このとき、各モータ51〜53を筐体本体31内に配設するとともに、これらモータ51〜53を制御するモータ制御基板57を筐体本体31内に配設して、このモータ制御基板57を各モータ51〜53に対して筐体本体31内でモータドライバ54〜56を介して各線61〜66により接続していることで、各線61〜66が、筐体本体31と筐体軸支部32との可動部である側部結合部43、および、筐体22と台座部23との可動部である上部結合部86のそれぞれを介さないので、筐体本体31をチルト駆動させたり筐体22をパン駆動させたりした場合でも、これら線61〜66に負荷が加わることがなく、断線などに対する信頼性を向上できる。
【００６５】
一方で、ＣＰＵ基板71からの通信線72とパン用モータ73のモータドライバ74に接続されるモータドライバ制御線75を纏めた配線77は、上部結合部86に挿通しなければならないものの、上記のように各モータ51〜53用の各線61〜66を上部結合部86内に配線せずに済むので、上部結合部86に挿通される配線の数を最小限とすることができる。このため、筐体22がパン駆動時に例えば４５０°程度回転可能であっても、配線の動きが制限されにくくなり、また、上部結合部86内のスペースを有効に利用して屈曲に強い配線を使用することが可能になるから、上部結合部86内に挿通された配線77の信頼性をも向上することが可能になる。
【００６６】
また、筐体本体31がチルト駆動されて、吸気口が台座部23側に対向した状態でも、筐体軸支部32に設けられた連通開口および通気開口と、台座部23に設けられた天板通気開口とを介して筐体本体31内へと外気を吸い込むことができるため、プロジェクタ本体21および筐体本体31内の各モータ51〜53、モータドライバ54〜56およびモータ制御基板57の冷却効率が低下しないとともに、この状態では、台座部23内を空気が通過するから、この台座部23内に配設されたＣＰＵ基板71、パン用モータ73、モータドライバ74なども同時に冷却できる。
【００６７】
さらに、モータ制御基板57を、プロジェクタ本体21を挟む空間部34，35の一方である空間部34側に配設することにより、このモータ制御基板57が配設されない空間部35が、プロジェクタ本体21のプロジェクタ筐体25内に設けたランプの交換が可能な保守用の作業スペースとなるので、この保守作業などの作業性を向上できる。
【００６８】
また、ＣＰＵ基板71を台座部23側に設け、モータドライバ54〜56を筐体本体31に設けることにより、何らかの不具合が発生した場合、筐体本体31のパネル46などを外すだけでＣＰＵ基板71側の問題かモータドライバ54〜56側の問題かどうかを判断でき、モータドライバ54〜56側の問題であれば、台座部23を構造物から外して台座部23のカバーを外したりしなくても修理などが可能となりメンテナンス性が向上する。
【００６９】
しかも、筐体本体31の空間部34は、天井板13に埋め込まれておらず下側に露出しているため、モータドライバ54〜56側の修理などの作業が容易となるだけでなく、熱がこもりにくく、モータ制御基板57が熱により影響を受けることも防止できる。
【００７０】
また、台座部23内には、ＣＰＵ基板71、パン用モータ73およびモータドライバ74などが配設されているだけなので、ズーム用モータ、シャッタ用モータおよびチルト用モータ、これらモータの駆動用のモータドライバ、および、モータ制御基板などをさらに配設する従来の場合と比較して、台座部23内を小型化でき、照明装置11全体を小型化できる。このため、台座部23を天井板13の埋込孔108に埋め込んだ場合に、台座部23側のみが必要以上に大きくなって無駄なスペースが生じることなどもなく、また、台座部23の高さも抑制できるため、天井板13に台座部23を深く埋め込むことができない場所などに照明装置11を設置する際、あるいは所定の設置面上に照明装置11を設置する際にも、照明装置11が必要以上に突出することもない。さらに、台座部23内に余裕ができるため、埋込孔108に埋め込んでも無駄な隙間が形成されず、天井面の見栄えも向上する。この結果、照明装置11の汎用性が向上する。
【００７１】
また、メンテナンス作業の頻度が比較的多い部材、例えばモータ51〜53、モータドライバ54〜56およびモータ制御基板57などは筺体本体31に配設されているので、メンテナンス性が低下することがない。
【００７２】
また、照明装置11において台座部23側が埋め込まれた天井板13の裏側(上方)は、温度などの制御が容易でないものの、この台座部23内には、ＣＰＵ基板71、パン用モータ73およびモータドライバ74など、筐体本体31内に配設した各種部品よりも比較的熱に強い部品を配設しているため、仮に台座部23側に熱がこもった場合などでも、この熱が各モータ51〜53，73などの制御系に好ましくない影響を与えることを抑制できる。
【００７３】
なお、上記一実施の形態において、駆動手段としては、上記モータ51〜53以外でも、様々な駆動用のものであっても対応して適用できる。
【００７４】
また、モータ制御基板57などは、空間部35側に配設してもよい。
【図面の簡単な説明】
【００７５】
【図１】本発明の一実施の形態の照明装置の内部を示す正面図である。
【図２】同上照明装置の構造物への吊り下げ固定状態を示す正面図である。
【図３】同上照明装置の構造物への吊り下げ固定状態を示す側面図である。
【図４】同上照明装置の構造物への吊り下げ固定状態を示す平面図である。
【符号の説明】
【００７６】
11    照明装置
13    天井板
21    照明装置本体としてのプロジェクタ本体
22    筐体
23    台座部
31    筐体本体
32    筐体支持部としての筐体軸支部
51    駆動手段としてのズーム用モータ
52    駆動手段としてのシャッタ用モータ
53    駆動手段としてのチルト用モータ
57    制御手段としてのモータ制御基板
61，62，63    配線としてのモータ制御線
64，65，66    配線としてのモータドライバ制御線
108   孔部としての埋込孔
【図１】
2008218148.tif 000003
【図２】
2008218148.tif 000004
【図３】
2008218148.tif 000005
【図４】
2008218148.tif 000006